(57)【要約】【課題】イオンマイグレーションの成長を防止することができる電源装置を提供する。【解決手段】ソケット５を介してＬＥＤ発光部６に直流電圧Ｖ１を供給する電源装置であって、ＬＥＤ発光部６に供給する直流電圧Ｖ１の極性を反転させる極性反転回路３２と、直流電圧Ｖ１のオンオフを検出する電圧検出回路３１と、電圧検出回路３１によって検出された直流電圧Ｖ１のオンオフに基づいて、極性反転回路３２によって直流電圧Ｖ１の極性を切り替えるタイミングを制御する制御回路３４とを備えている。【選択図】図２
2016139544.tif 000002
【特許請求の範囲】
【請求項１】
ソケットを介してＬＥＤ発光部に直流電圧を供給する電源装置であって、
前記ＬＥＤ発光部に供給する前記直流電圧の極性を反転させる極性反転回路と、
前記直流電圧を検出する電圧検出回路と、
該電圧検出回路によって検出された前記直流電圧に基づいて、前記極性反転回路によって前記直流電圧の極性を切り替えるタイミングを制御する制御回路とを具備することを特徴とする電源装置。
【請求項２】
前記制御回路は、前記直流電圧がオフされると、次回に前記ＬＥＤ発光部に供給する前記直流電圧の極性を前記極性反転回路によって切り替えることを特徴とする請求項１記載の電源装置。
【請求項３】
前記直流電圧がオンされるとカウントを開始するタイマー回路を具備し、
前記制御回路は、前記タイマー回路によるカウント値が予め設定された第１の閾値に到達すると、前記極性反転回路によって前記直流電圧の極性を切り替えることを特徴とする請求項１又は２記載の電源装置。
【請求項４】
前記直流電圧がオンされるとカウントを開始するタイマー回路を具備し、
前記制御回路は、前記タイマー回路によるカウント値が予め設定された第２の閾値未満で前記直流電圧がオフされると、次回に前記ＬＥＤ発光部に供給する前記直流電圧の極性を前記極性反転回路によって反転させることなく、前記タイマー回路によるカウント値が予め設定された第２の閾値以上で前記直流電圧がオフされると、次回に前記ＬＥＤ発光部に供給する前記直流電圧の極性を前記極性反転回路によって切り替えることを特徴とする請求項１記載の電源装置。
【請求項５】
前記直流電圧がオンされるとカウントを開始するタイマー回路と、
前記タイマー回路によるカウント値を記憶する記憶手段とを具備し、
前記制御回路は、前記直流電圧がオフされると前記タイマー回路によるカウント値を前記記憶手段に記憶させると共に、前記直流電圧がオンされると前記タイマー回路によって前記記憶手段に記憶されているカウント値からカウントを開始させ、前記タイマー回路によるカウント値が予め設定された第１の閾値に到達すると、前記極性反転回路によって前記直流電圧の極性を切り替えることを特徴とする請求項１記載の電源装置。
【請求項６】
前記直流電圧を生成する直流電圧生成回路を具備し、
前記電圧検出回路は、前記直流電圧生成回路によって生成された前記直流電圧のオンオフを検出することを特徴とする請求項１乃至５のいずれかに記載の電源装置。
【請求項７】
前記ＬＥＤ発光部と、前記ソケットと、請求項１乃至６のいずれかに記載の電源装置とを備えることを特徴とするＬＥＤ照明装置。
【発明の詳細な説明】
【技術分野】
【０００１】
本発明は、ＬＥＤ光源に電源を供給する電源装置及びそれを備えるＬＥＤ照明装置に関する。
【背景技術】
【０００２】
近年、白熱灯や水銀灯等の従来の光源を代替する光源として、従来の光源と共通のソケットに取り付け可能なプラグを有し、ＬＥＤを光源とするＬＥＤ発光部が用いられている（例えば、特許文献１参照）。ＬＥＤは直流電圧を印加して発光させる。従って、商用交流電源からの交流電圧を直流電圧に変換してＬＥＤに供給する電源装置が必要となる。この電源装置は、ＬＥＤ発光部に内蔵された内蔵タイプと、ＬＥＤ発光部に外付けする外付けタイプとがある。街路灯等の消費電力が大きいＬＥＤ発光部の場合には、外付けタイプの電源装置が用いられるケースが多い。外付けタイプの電源装置を用いる場合、電源装置からの直流電圧は、ソケット及びプラグからなる接点部品を介してＬＥＤ発光部に電源として供給されることになる。
【先行技術文献】
【特許文献】
【０００３】
【特許文献１】特表２０１４−５２８１４１公報
【発明の概要】
【発明が解決しようとする課題】
【０００４】
しかしながら、外気に晒される接点部品（ソケット及びプラグ）を介してＬＥＤ発光部に直流電圧を供給すると、接点部品に同じ極性の電圧が長時間印加され続けることになり、イオンマイグレーションによって電極が絶縁不良を起こす場合がある。イオンマイグレーションの発生は、特に高温多湿の環境化において加速され、最悪の場合は端子間短絡を誘発する。
【０００５】
本発明の目的は、従来技術の上記問題を解決し、イオンマイグレーションの成長を防止することができる電源装置及びそれを備えるＬＥＤ照明装置を提供することにある。
【課題を解決するための手段】
【０００６】
本発明の電源装置は、ソケットを介してＬＥＤ発光部に直流電圧を供給する電源装置であって、前記ＬＥＤ発光部に供給する前記直流電圧の極性を反転させる極性反転回路と、前記直流電圧を検出する電圧検出回路と、該電圧検出回路によって検出された前記直流電圧に基づいて、前記極性反転回路によって前記直流電圧の極性を切り替えるタイミングを制御する制御回路とを具備することを特徴とする。
さらに、本発明の電源装置において、前記制御回路は、前記直流電圧がオフされると、次回に前記ＬＥＤ発光部に供給する前記直流電圧の極性を前記極性反転回路によって切り替えても良い。
さらに、本発明の電源装置において、前記直流電圧がオンされるとカウントを開始するタイマー回路を具備し、前記制御回路は、前記タイマー回路によるカウント値が予め設定された第１の閾値に到達すると、前記極性反転回路によって前記直流電圧の極性を切り替えても良い。
さらに、本発明の電源装置において、前記直流電圧がオンされるとカウントを開始するタイマー回路を具備し、前記制御回路は、前記タイマー回路によるカウント値が予め設定された第２の閾値未満で前記直流電圧がオフされると、次回に前記ＬＥＤ発光部に供給する前記直流電圧の極性を前記極性反転回路によって反転させることなく、前記タイマー回路によるカウント値が予め設定された第２の閾値以上で前記直流電圧がオフされると、次回に前記ＬＥＤ発光部に供給する前記直流電圧の極性を前記極性反転回路によって切り替えても良い。
さらに、本発明の電源装置において、前記直流電圧がオンされるとカウントを開始するタイマー回路と、前記タイマー回路によるカウント値を記憶する記憶手段とを具備し、前記制御回路は、前記直流電圧がオフされると前記タイマー回路によるカウント値を前記記憶手段に記憶させると共に、前記直流電圧がオンされると前記タイマー回路によって前記記憶手段に記憶されているカウント値からカウントを開始させ、前記タイマー回路によるカウント値が予め設定された第１の閾値に到達すると、前記極性反転回路によって前記直流電圧の極性を切り替えても良い。
さらに、本発明の電源装置において、前記直流電圧を生成する直流電圧生成回路を具備し、前記電圧検出回路は、前記直流電圧生成回路によって生成された前記直流電圧のオンオフを検出しても良い。
さらに、本発明のＬＥＤ照明装置は、前記ＬＥＤ発光部と、前記ソケットと、前記電源装置とを備えることを特徴とする。
【発明の効果】
【０００７】
本発明によれば、ＬＥＤ発光部に供給される直流電圧の極性が切り替えられソケットに印加される電圧の極性が所定の間隔で反転されるため、ソケットにおいて、イオンマイグレーションの成長と退化が繰り返され、イオンマイグレーションの成長を防止することができるという効果を奏する。
【図面の簡単な説明】
【０００８】
【図１】本発明に係る電源装置の実施の形態の構成を示すブロック図である。
【図２】本発明に係る電源装置の第１の実施の形態におけるイオンマイグレーション対策回路の回路構成を示す回路構成図である。
【図３】本発明に係る電源装置の第１の実施の形態における極性切替制御を示す各部の信号波形、及び動作波形を示す波形図である。
【図４】本発明に係る電源装置の第２の実施の形態におけるイオンマイグレーション対策回路の回路構成を示す回路構成図である。
【図５】本発明に係る電源装置の第２の実施の形態における極性切替制御を示す各部の信号波形、及び動作波形を示す波形図である。
【図６】本発明に係る電源装置の第３の実施の形態における極性切替制御を示す各部の信号波形、及び動作波形を示す波形図である。
【図７】本発明に係る電源装置の第４の実施の形態における極性切替制御を示す各部の信号波形、及び動作波形を示す波形図である。
【発明を実施するための形態】
【０００９】
本実施の形態の電源装置１は、図１を参照すると、ＡＣ−ＤＣコンバータ２と、イオンマイグレーション対策回路３とを備え、商用交流電源４からの交流電圧を直流電圧に変換し、変換した直流電圧をソケット５に接続されたＬＥＤ発光部６に電源として供給する。電源装置１と接続部品５とＬＥＤ発光部６とは、ＬＥＤ照明装置を構成する。
【００１０】
ＡＣ−ＤＣコンバータ２は、商用交流電源４からの交流電圧から直流電圧を生成する直流電圧生成回路であり、生成した直流電圧Ｖ１をイオンマイグレーション対策回路３に出力する。
【００１１】
（第１の実施の形態）
第１の実施の形態のイオンマイグレーション対策回路３は、図２を参照すると、電圧検出回路３１と、極性反転回路３２と、短絡検出回路３３と、制御回路３４とを備えている。
【００１２】
電圧検出回路３１は、ＡＣ−ＤＣコンバータ２から出力される直流電圧Ｖ１の電圧値を検出するための回路であり、ＡＣ−ＤＣコンバータ２から出力される直流電圧Ｖ１の正極ラインＬａに一方の端子が接続された抵抗Ｒ１を備えている。抵抗Ｒ１の他方の端子は、制御回路３４に接続されている。これにより、直流電圧Ｖ１の電圧値は、抵抗Ｒ１を介し、電圧信号Ｖ＿ＤＥＴとして制御回路３４として入力される。
【００１３】
極性反転回路３２は、スイッチ素子Ｑ１とスイッチ素子Ｑ２とが直列に接続された第１アームと、スイッチ素子Ｑ３とスイッチ素子Ｑ４とが直列に接続された第２アームとを備え、第１アームと第２アームとが正極ラインＬａと負極ラインＬｂとの間に並列に接続されている。スイッチ素子Ｑ１及びスイッチ素子Ｑ３は、上アームスイッチとして機能すると共に、スイッチ素子Ｑ２及びスイッチ素子Ｑ４は、下アームスイッチとして機能する。そして、第１アームの中点、すなわちスイッチ素子Ｑ１とスイッチ素子Ｑ２との接続点が第１電源ラインＬ１としてソケット５の一方の端子に接続されていると共に、第２アームの中点、すなわちスイッチ素子Ｑ３とスイッチ素子Ｑ４との接続点が第２電源ラインＬ２としてソケット５の他方の端子に接続されている。これにより、第１電源ラインＬ１と第２電源ラインＬ２との間の直流電圧Ｖ２がソケット５を介してＬＥＤ発光部６に電源として供給される。
【００１４】
短絡検出回路３３は、第１電源ラインＬ１と第２電源ラインＬ２との短絡を検出するための回路であり、アノードが第１電源ラインＬ１に接続されたダイオードＤ１と、アノードが第２電源ラインＬ２に接続されたダイオードＤ２と、ダイオードＤ１及びダイオードＤ２のカソードに一方の端子が接続された抵抗Ｒ２とを備えている。抵抗Ｒ２の他方の端子は、制御回路３４に接続されている。これにより、第１電源ラインＬ１の電圧値もしくは第２電源ラインＬ２の電圧値は、抵抗Ｒ２を介し、電圧信号Ｖ＿ＳＲＴとして制御回路３４として入力される。
【００１５】
制御回路３４は、プログラム制御によって動作するマイコンで構成されている。制御回路３４は、電圧検出回路３１から入力される電圧信号Ｖ＿ＤＥＴに基づいて、極性反転回路３２の指令信号を切り替える。極性反転回路３２の指令信号は、スイッチ素子Ｑ１、スイッチ素子Ｑ２、スイッチ素子Ｑ３及びスイッチ素子Ｑ４をそれぞれオン／オフする制御信号ＳＩＧ＿Ｑ１、ＳＩＧ＿Ｑ２、ＳＩＧ＿Ｑ３及びＳＩＧ＿Ｑ４からなる。制御回路３４は、指令信号によって、スイッチ素子Ｑ１及びスイッチ素子Ｑ４をオンさせ、且つスイッチ素子Ｑ２及びスイッチ素子Ｑ３をオフさせることで、第２電源ラインＬ２を正極（第１電源ラインＬ１を負極）に切り替えると共に、指令信号によって、スイッチ素子Ｑ２及びスイッチ素子Ｑ３をオンさせ、且つスイッチ素子Ｑ１及びスイッチ素子Ｑ４をオフさせることで、第１電源ラインＬ１を正極（第２電源ラインＬ２を負極）に切り替える。
【００１６】
また、制御回路３４は、短絡検出回路３３から入力される電圧信号Ｖ＿ＳＲＴによって、第１電源ラインＬ１と第２電源ラインＬ２との短絡を検出すると、指令信号によって、スイッチ素子Ｑ１、スイッチ素子Ｑ２、スイッチ素子Ｑ３及びスイッチ素子Ｑ４をオフさせる。これにより、端子間短絡を検出した場合に、異常状態が放置されることがない。
【００１７】
ＬＥＤ発光部６は、ソケット５に接続可能なプラグ６１と、整流回路６２と、ＬＥＤ６３とを備えている。整流回路６２は、ダイオードがブリッジ構成された回路であり、ソケット５及びプラグ６１からなる接点部品に印加される電圧の極性に拘わらず、同極の電圧をＬＥＤ６３に供給する。
【００１８】
次に、制御回路３４による極性切替制御について図３を参照して詳細に説明する。
図３は、イオンマイグレーション対策回路３の各部の信号波形、及び動作波形を示したもので、上から、ＡＣ−ＤＣコンバータ２から出力される直流電圧Ｖ１、電圧検出回路３１から制御回路３４に入力される電圧信号Ｖ＿ＤＥＴ、スイッチ素子Ｑ１及びスイッチ素子Ｑ４をオン／オフさせる制御信号ＳＩＧ＿Ｑ１及びＳＩＧ＿Ｑ４、スイッチ素子Ｑ２及びスイッチ素子Ｑ３をオン／オフさせる制御信号ＳＩＧ＿Ｑ２及びＳＩＧ＿Ｑ３、イオンマイグレーション対策回路３から電源として出力される直流電圧Ｖ２をそれぞれ示している。
【００１９】
制御回路３４には、ＡＣ−ＤＣコンバータ２から出力される直流電圧Ｖ１に基づいて内部電源電圧を生成するレギュレータ回路が内蔵されており、直流電圧Ｖ１がオンされると、動作を開始し、直流電圧Ｖ１がオフされると、所定時間後に動作を停止させる。また、制御回路３４には、第１電源ラインＬ１と第２電源ラインＬ２とのいずれを正極にするかを示す極性フラグを記憶する記憶手段が設けられている。この記憶手段し、不揮発性メモリで構成され、制御回路３４が動作を停止しても内容が維持される。例えば、極性フラグは、「０」で第１電源ラインＬ１が正極を示し、「１」で第２電源ラインＬ２が正極を示す。
【００２０】
制御回路３４は、直流電圧Ｖ１がオンされて動作を開始すると、極性フラグを確認し、極性フラグが示す電源ライン（第１電源ラインＬ１もしくは第２電源ラインＬ２）が正極となる指令信号を極性反転回路３２に出力する。例えば、図３に示す時刻ｔ１１で直流電圧Ｖ１がオンされた際に、極性フラグが「１」である場合には、制御回路３４は、制御信号ＳＩＧ＿Ｑ２及びＳＩＧ＿Ｑ３をＨｉレベルにして、スイッチ素子Ｑ２及びスイッチ素子Ｑ３をオンさせ、且つスイッチ素子Ｑ１及びスイッチ素子Ｑ４をオフのままで維持させることで、第１電源ラインＬ１を正極（第２電源ラインＬ２を負極）にした直流電圧Ｖ２をイオンマイグレーション対策回路３から出力させる。この状態は、直流電圧Ｖ１のオンが継続している間は、維持される。
【００２１】
次に、制御回路３４は、直流電圧Ｖ１がオフされると、極性反転回路３２のスイッチ素子Ｑ１、スイッチ素子Ｑ２、スイッチ素子Ｑ３及びスイッチ素子Ｑ４の全てをオフさせると共に、動作を停止する前に、極性フラグを「０」から「１」もしくは「１」から「０」に書き替える。例えば、図３に示す時刻ｔ１２で直流電圧Ｖ１がオフされると、制御回路３４は、制御信号ＳＩＧ＿Ｑ２及びＳＩＧ＿Ｑ３をＬｏｗレベルにして、スイッチ素子Ｑ２及びスイッチ素子Ｑ３をオフさせることで、極性反転回路３２のスイッチ素子Ｑ１、スイッチ素子Ｑ２、スイッチ素子Ｑ３及びスイッチ素子Ｑ４の全てをオフさせる。そして、制御回路３４は、極性フラグを「１」から「０」に書き替える。
【００２２】
このように、直流電圧Ｖ１のオフに伴って極性フラグを書き替えることで、次回に直流電圧Ｖ１がオンされると、直流電圧Ｖ２の極性が反転される。例えば、図３に示す時刻ｔ１３で直流電圧Ｖ１がオンされると、極性フラグが「０」に書き替えられているため、制御回路３４は、制御信号ＳＩＧ＿Ｑ１及びＳＩＧ＿Ｑ４をＨｉレベルにして、スイッチ素子Ｑ１及びスイッチ素子Ｑ４をオンさせ、且つスイッチ素子Ｑ２及びスイッチ素子Ｑ３をオフのままで維持させる。これにより、時刻ｔ１１〜ｔ１２の直流電圧Ｖ２とは極性が反転された、第２電源ラインＬ２を正極（第１電源ラインＬ１を負極）にした直流電圧Ｖ２がイオンマイグレーション対策回路３から出力される。
【００２３】
このように、イオンマイグレーション対策回路３からは、ＡＣ−ＤＣコンバータ２から出力される直流電圧Ｖ１がオンされる毎に、極性が反転された直流電圧Ｖ２が出力される。従って、ソケット５及びプラグ６１からなる接点部品に印加される電圧の極性が、ＡＣ−ＤＣコンバータ２から出力される直流電圧Ｖ１がオンされる毎に反転する。イオンマイグレーションは、接点部品に同じ極性の電圧が印加され続けることで成長するが、接点部品に印加される極性を反転させることで、成長したイオンマイグレーションを退化させることができる。従って、ＬＥＤ発光部６を夜間に点灯する街路灯として用いる場合、１日おきにソケット５及びプラグ６１からなる接点部品に印加される電圧の極性が反転されることになり、接点部品では、イオンマイグレーションの成長と退化が繰り返され、イオンマイグレーションの成長を防止することができる。
【００２４】
（第２の実施の形態）
図４を参照すると、第２の実施の形態のイオンマイグレーション対策回路３ａでは、制御回路３４ａにタイマー回路３５が設けられている点で、第１の実施の形態と異なっている。
【００２５】
制御回路３４ａは、ＡＣ−ＤＣコンバータ２から出力される直流電圧Ｖ１がオンされると、タイマー回路３５によるカウントを開始させ、タイマー回路３５によるカウント値ＴＩＭＥＲが予め設定された第１の閾値Ｔｔｈ１に到達すると、極性反転回路３２の指令信号を切り替え、イオンマイグレーション対策回路３ａから出力される直流電圧Ｖ２の極性を反転させる。
【００２６】
次に、制御回路３４ａによる極性切替制御について図５を参照して詳細に説明する。
図５は、イオンマイグレーション対策回路３ａの各部の信号波形、及び動作波形を示したもので、上から、ＡＣ−ＤＣコンバータ２から出力される直流電圧Ｖ１、電圧検出回路３１から制御回路３４ａに入力される電圧信号Ｖ＿ＤＥＴ、タイマー回路３５によるカウント値ＴＩＭＥＲ、スイッチ素子Ｑ１及びスイッチ素子Ｑ４をオン／オフさせる制御信号ＳＩＧ＿Ｑ１及びＳＩＧ＿Ｑ４、スイッチ素子Ｑ２及びスイッチ素子Ｑ３をオン／オフさせる制御信号ＳＩＧ＿Ｑ２及びＳＩＧ＿Ｑ３、イオンマイグレーション対策回路３ａから電源として出力される直流電圧Ｖ２をそれぞれ示している。
【００２７】
図５に示す時刻ｔ２１で直流電圧Ｖ１がオンされた際に、極性フラグが「１」である場合には、制御回路３４ａは、制御信号ＳＩＧ＿Ｑ２及びＳＩＧ＿Ｑ３をＨｉレベルにして、スイッチ素子Ｑ２及びスイッチ素子Ｑ３をオンさせ、且つスイッチ素子Ｑ１及びスイッチ素子Ｑ４をオフのままで維持させることで、第１電源ラインＬ１を正極（第２電源ラインＬ２を負極）にした直流電圧Ｖ２をイオンマイグレーション対策回路３ａから出力させる。また、制御回路３４ａは、図５に示す時刻ｔ２１で直流電圧Ｖ１がオンされると、タイマー回路３５によるカウントを開始させる。このタイマー回路３５によるカウントは、制御回路３４ａが動作している間は継続される。
【００２８】
そして、図５に示す時刻ｔ２２でタイマー回路３５によるカウント値ＴＩＭＥＲが予め設定された第１の閾値Ｔｔｈ１に到達すると、制御回路３４ａは、制御信号ＳＩＧ＿Ｑ２及びＳＩＧ＿Ｑ３をＬｏｗレベルにして、スイッチ素子Ｑ２及びスイッチ素子Ｑ３をオフさせと共に、制御信号ＳＩＧ＿Ｑ１及びＳＩＧ＿Ｑ４をＨｉレベルにして、スイッチ素子Ｑ１及びスイッチ素子Ｑ４をオンさせ、極性フラグを「１」から「０」に書き替える。これにより、時刻ｔ２１〜ｔ２２の直流電圧Ｖ２とは極性が反転された、第２電源ラインＬ２を正極（第１電源ラインＬ１を負極）にした直流電圧Ｖ２がイオンマイグレーション対策回路３ａから出力される。
【００２９】
（第３の実施の形態）
第３の実施の形態では、制御回路３４ａによる極性切替制御が第１及び第２の実施の形態と異なっている。以下、第３の実施の形態における制御回路３４ａによる極性切替制御について図６を参照して詳細に説明する。
図６は、イオンマイグレーション対策回路３ａの各部の信号波形、及び動作波形を示したもので、上から、ＡＣ−ＤＣコンバータ２から出力される直流電圧Ｖ１、電圧検出回路３１から制御回路３４ａに入力される電圧信号Ｖ＿ＤＥＴ、タイマー回路３５によるカウント値ＴＩＭＥＲ、スイッチ素子Ｑ１及びスイッチ素子Ｑ４をオン／オフさせる制御信号ＳＩＧ＿Ｑ１及びＳＩＧ＿Ｑ４、スイッチ素子Ｑ２及びスイッチ素子Ｑ３をオン／オフさせる制御信号ＳＩＧ＿Ｑ２及びＳＩＧ＿Ｑ３、イオンマイグレーション対策回路３ａから電源として出力される直流電圧Ｖ２をそれぞれ示している。
【００３０】
第３の実施の形態において制御回路３４ａは、タイマー回路３５によるカウント値ＴＩＭＥＲと、第１の閾値Ｔｔｈ１よりも小さい予め設定された第２の閾値Ｔｔｈ２とを比較し、タイマー回路３５によるカウント値ＴＩＭＥＲが第２の閾値Ｔｔｈ２未満で直流電圧Ｖ１がオフされた場合には、直流電圧Ｖ１のオフに伴って極性フラグを書き替えることなく、タイマー回路３５によるカウント値ＴＩＭＥＲが第２の閾値Ｔｔｈ２以上で直流電圧Ｖ１がオフされた場合に、直流電圧Ｖ１のオフに伴って極性フラグを書き替える。例えば、図６に示す時刻ｔ３１、ｔ３４、ｔ３５で直流電圧Ｖ１がオフされた場合には、タイマー回路３５によるカウント値ＴＩＭＥＲが第２の閾値Ｔｔｈ２未満であるため、制御回路３４ａは、直流電圧Ｖ１のオフに伴って極性フラグを書き替えない。従って、次回に直流電圧Ｖ１がオンされても、直流電圧Ｖ２の極性が反転されない。一方、時刻ｔ３２で直流電圧Ｖ１がオフされた場合には、タイマー回路３５によるカウント値ＴＩＭＥＲが第２の閾値Ｔｔｈ２以上であるため、制御回路３４ａは、直流電圧Ｖ１のオフに伴って極性フラグを書き替える。従って、次回に直流電圧Ｖ１がオンされると、直流電圧Ｖ２の極性が反転される。なお、時刻ｔ３３でカウント値ＴＩＭＥＲが第１の閾値Ｔｔｈ１に到達した場合には、第２の実施の形態と同様に直流電圧Ｖ２の極性が反転される。
【００３１】
（第４の実施の形態）
第４の実施の形態では、制御回路３４ａによる極性切替制御が第１乃至第３の実施の形態と異なっている。以下、第３の実施の形態における制御回路３４ａによる極性切替制御について図７を参照して詳細に説明する。
図７は、イオンマイグレーション対策回路３ａの各部の信号波形、及び動作波形を示したもので、上から、ＡＣ−ＤＣコンバータ２から出力される直流電圧Ｖ１、電圧検出回路３１から制御回路３４ａに入力される電圧信号Ｖ＿ＤＥＴ、タイマー回路３５によるカウント値ＴＩＭＥＲ、スイッチ素子Ｑ１及びスイッチ素子Ｑ４をオン／オフさせる制御信号ＳＩＧ＿Ｑ１及びＳＩＧ＿Ｑ４、スイッチ素子Ｑ２及びスイッチ素子Ｑ３をオン／オフさせる制御信号ＳＩＧ＿Ｑ２及びＳＩＧ＿Ｑ３、イオンマイグレーション対策回路３ａから電源として出力される直流電圧Ｖ２をそれぞれ示している。
【００３２】
第４の実施の形態において制御回路３４ａは、直流電圧Ｖ１のオフに伴って、極性フラグを書き替えることなく、タイマー回路３５によるカウント値ＴＩＭＥＲが第１の閾値Ｔｔｈ１に到達した場合にのみ、極性フラグを書き替えて、イオンマイグレーション対策回路３ａから電源として出力される直流電圧Ｖ２の極性を反転させる。また、制御回路３４ａは、直流電圧Ｖ１のオフに伴って、タイマー回路３５によるカウント値ＴＩＭＥＲを記憶手段に記憶させると共に、直流電圧Ｖ１のオンに伴って、タイマー回路３５によって記憶手段に記憶されているカウント値ＴＩＭＥＲからカウントを開始させる。例えば、図７に示す時刻ｔ４１、ｔ４２で直流電圧Ｖ１がオフされた場合には、制御回路３４ａは、直流電圧Ｖ１のオフに伴って極性フラグを書き替えることなく、タイマー回路３５によるカウント値ＴＩＭＥＲを記憶手段に記憶させる。従って、次回に直流電圧Ｖ１がオンされても、直流電圧Ｖ２の極性が反転されない。そして、次回に直流電圧Ｖ１がオンされると、制御回路３４ａは、タイマー回路３５によって記憶手段に記憶されているカウント値ＴＩＭＥＲからカウントを開始させ、図７に示す時刻ｔ４３でタイマー回路３５によるカウント値ＴＩＭＥＲが第１の閾値Ｔｔｈ１に到達すると、極性フラグを書き替えて、イオンマイグレーション対策回路３ａから電源として出力される直流電圧Ｖ２の極性を反転させる。
【００３３】
以上説明したように、本実施の形態によれば、ソケット５を介してＬＥＤ発光部６に直流電圧Ｖ１を供給する電源装置１であって、ＬＥＤ発光部６に供給する直流電圧Ｖ１の極性を反転させる極性反転回路３２と、直流電圧Ｖ１を検出する電圧検出回路３１と、電圧検出回路３１によって検出された直流電圧Ｖ１に基づいて、極性反転回路３２によって直流電圧Ｖ１の極性を切り替えるタイミングを制御する制御回路３４とを備えている。
この構成により、制御回路３４によって、ＬＥＤ発光部６に供給される直流電圧Ｖ１の極性が切り替えられ、ケット５及びプラグ６１からなる接点部品に印加される電圧の極性が所定の間隔で反転されるため、接点部品において、イオンマイグレーションの成長と退化が繰り返され、イオンマイグレーションの成長を防止することができる。特に、街路灯のように接点部品が外気に晒されている場合に有効である。これにより、高温多湿の環境化においても端子間短絡を防止することができる。
【００３４】
さらに、本実施の形態によれば、制御回路３４は、直流電圧Ｖ１がオフされると、次回にＬＥＤ発光部６に供給する直流電圧Ｖ１の極性を極性反転回路３２によって切り替える。
この構成により、直流電圧Ｖ１のオンオフ動作に応じ、簡単な構成で直流電圧Ｖ１の極性を切り替えられることができる。
【００３５】
さらに、本実施の形態によれば、直流電圧Ｖ１がオンされるとカウントを開始するタイマー回路３５を具備し、制御回路３４は、タイマー回路３５によるカウント値ＴＩＭＥＲが予め設定された第１の閾値Ｔｔｈ１に到達すると、極性反転回路３２によって直流電圧Ｖ１の極性を切り替える。
この構成により、直流電圧Ｖ１をオフすることなく、３６５日２４時間通電していてもイオンマイグレーションの成長を防止することができる。
【００３６】
さらに、本実施の形態によれば、直流電圧Ｖ１がオンされるとカウントを開始するタイマー回路３５を具備し、制御回路３４は、タイマー回路３５によるカウント値ＴＩＭＥＲが予め設定された第２の閾値Ｔｔｈ２未満で直流電圧Ｖ１がオフされると、次回にＬＥＤ発光部６に供給する直流電圧Ｖ１の極性を極性反転回路３２によって切り替えることなく、タイマー回路３５によるカウント値ＴＩＭＥＲが予め設定された第２の閾値Ｔｔｈ２以上で直流電圧Ｖ１がオフされると、次回にＬＥＤ発光部６に供給する直流電圧Ｖ１の極性を前記極性反転回路３２によって反転させる。
この構成により、直流電圧Ｖ１のオフを検出してもカウント値ＴＩＭＥＲが第２の閾値Ｔｔｈ２未満では極性反転が行われないため、各極性での点灯時間をバランスさせることでイオンマイグレーションの発生を効果的に抑制することができる。
【００３７】
さらに、本実施の形態によれば、直流電圧Ｖ１がオンされるとカウントを開始するタイマー回路３５と、タイマー回路３５によるカウント値を記憶する記憶手段とを具備し、
制御回路３４は、直流電圧Ｖ１がオフされるとタイマー回路３５によるカウント値ＴＩＭＥＲを記憶手段に記憶させると共に、直流電圧Ｖ１がオンされるとタイマー回路３５によって記憶手段に記憶されているカウント値ＴＩＭＥＲからカウントを開始させ、タイマー回路３５によるカウント値ＴＩＭＥＲが予め設定された第１の閾値Ｔｔｈ１に到達すると、極性反転回路３２によって直流電圧Ｖ１の極性を切り替える。
この構成により、各極性での点灯時間を正確にバランスさせることでイオンマイグレーションの発生をより効果的に抑制することができる、
【００３８】
さらに、本実施の形態によれば、直流電圧Ｖ１を生成するＡＣ−ＤＣコンバータ２を具備し、
電圧検出回路３１は、ＡＣ−ＤＣコンバータ２によって生成された直流電圧Ｖ１のオンオフを検出する。
この構成により、外部信号によることなく、極性の切り替えを制御することができる。
【００３９】
以上、本発明を具体的な実施形態で説明したが、上記実施形態は一例であって、本発明の趣旨を逸脱しない範囲で変更して実施できることは言うまでも無い。
【符号の説明】
【００４０】
１  電源装置
２  ＡＣ−ＤＣコンバータ
３、３ａ  イオンマイグレーション対策回路
４  商用交流電源
５  ソケット
６  ＬＥＤ発光部
３１  電圧検出回路
３２  極性反転回路
３３  短絡検出回路
３４、３４ａ  制御回路
３５  タイマー回路
６１  プラグ
６２  整流回路
６３  ＬＥＤ
Ｑ１、Ｑ２、Ｑ３、Ｑ４  スイッチ素子
Ｒ１、Ｒ２  抵抗
Ｄ１、Ｄ２  ダイオード
【図１】
2016139544.tif 000003
【図２】
2016139544.tif 000004
【図３】
2016139544.tif 000005
【図４】
2016139544.tif 000006
【図５】
2016139544.tif 000007
【図６】
2016139544.tif 000008
【図７】
2016139544.tif 000009